(57)【特許請求の範囲】
【請求項１】
温水タンクと、該温水タンク内に配設され下部がＬ字部を有するシーズヒーターと、該シーズヒーターの上部に固定される金属感熱板と、該金属感熱板上に配設されている温度ヒューズと、前記シーズヒーターのＬ字部の略水平部の直上の温水タンクには貫通孔が穿設されている人体局部洗浄装置であって、前記貫通孔には前記金属感熱板の一部が露出され、前記金属感熱板に配設されている前記温度ヒューズの一部は前記貫通孔の外形の延長線上内に配設されていることを特徴とする人体局部洗浄装置。
【発明の詳細な説明】
【０００１】
【産業上の利用分野】
本発明は、温水タンクを有する人体局部洗浄装置に関する。
【０００２】
【従来の技術】
一般に人体局部洗浄装置の温水タンクの内部に発熱量の大きなシーズヒーターを備えたものにおいては、温水タンク内に水が供給されていないときにシーズヒーターに通電すると異常発熱し、温水タンクならびにこれに付随する種々の部品を破損する。このためこのような温水タンクでは種々の安全装置を備えている。
人体局部洗浄装置の温水タンクは図１に示す便器装置１１に人体局部洗浄装置本体１２が取り付けられ、この人体局部洗浄装置本体１２の袖部部分に人体局部洗浄の洗浄水を溜めておく樹脂材料からなる温水タンク１３が内蔵されている。
この温水タンク１３には温水タンク１３の貫通穴を通し、シーズヒーターが温水タンク１３内に挿入されている。このシーズヒーターは人体局部を洗浄するための洗浄水を適温に暖めるようにしているもので、下部がＬ字形状に屈曲されている。Ｌ字形状に屈曲する理由は、温水タンク内の水の循環を良くしたり、ヒーターの発熱部の長さを確保するためのものである。
【０００３】
またシーズヒーターの上部には金属感熱板が固定されて、この金属感熱板にはシーズヒーターからの空炊き等の異常昇温になった熱を受けて溶断する温度ヒューズが取り付けられているが、従来の人体局部洗浄装置は上記屈曲されたＬ字の水平部の真上に相当する個所は樹脂材料からなる温水タンク１３の蓋全体に覆われ、直接Ｌ字水平部から温度ヒューズへの熱伝達はなされない構造であった。
【０００４】
【発明が解決しようとする課題】
このように、従来の技術はシーズヒーターのＬ字の水平部の真上に相当する個所は樹脂材料からなる温水タンクの蓋全体に覆われているため、空炊き等によりシーズヒーターに異常昇温が生じたとき、熱はシーズヒーターの水平部→垂直部→金属感熱板→温度ヒューズの経路にて熱伝達して、異常昇温を検知するだけであり、直接シーズヒーター水平部からの熱を温度ヒューズに熱伝達することができない。つまり温水タンクの蓋は温度伝熱率が小さい樹脂材料にて覆われているため、この樹脂材料によって遮断されてしまうためである。
【０００５】
従って、従来の人体局部洗浄装置は温度ヒューズへの温度伝達を素早く感知することができないといった問題点があった。
【０００６】
本発明は上記課題を解決したもので温水タンク内に異常昇温が生じたとき温度ヒューズへの温度伝達を素早く感知し未然に部品の損傷を素早く防止することにある。
【０００７】
【課題を解決するための手段】
上記技術的課題を解決するために、本発明の請求項１において講じた技術的手段（以下、第１の技術的手段と称する。）は、
温水タンクと、該温水タンク内に配設され下部がＬ字部を有するシーズヒーターと、該シーズヒーターの上部に固定される金属感熱板と、該金属感熱板上に配設されている温度ヒューズと、前記シーズヒーターのＬ字部の略水平部の直上の温水タンクには貫通孔が穿設されている人体局部洗浄装置であって、前記貫通孔には前記金属感熱板の一部が露出され、前記金属感熱板に配設されている前記温度ヒューズの一部は前記貫通孔の外形の延長線上内に配設されていることを特徴とする人体局部洗浄装置である。
【０００８】
上記第１の技術的手段による効果は、以下のようである。
【０００９】
即ち、直接前記シーズヒーターの水平部からの熱が直接前記金属感熱板と前記温度ヒューズに伝達することが可能となるため、温水タンク内の異常昇温の感知の作動が短時間になるといった効果を有する。
【００１０】
【発明の実施の形態】
以下、本発明の実施例について、図面に基づいて説明する。
【００１１】
図１は、本願発明の人体局部洗浄装置本体の全体斜視図である。温水タンク１３は便器装置１１に人体局部洗浄装置本体１２が取り付けられ、この人体局部洗浄装置本体１１の袖部部分に人体局部洗浄の洗浄水を貯溜しておく樹脂材料からなる温水タンク１３が設置されている。図２に示すように、温水タンク１３には温水タンク１３の貫通孔１３１を介し、シーズヒーター１４が温水タンク１３内に挿入されている。このシーズヒーター１４は人体局部を洗浄するための洗浄水を適温に暖めているもので、下部がＬ字形状に屈曲されている。シーズヒーター１４の上部には金属感熱板１５が固定されて、この金属感熱板１５にはシーズヒーター１４からの空炊き等の異常昇温になった熱を受けて溶断する温度ヒューズ１６が取り付けられている。金属感熱板１５の一端片はＵ字形状に曲げられたＵ字部１５１が設けられている。Ｕ字部１５１には切り起こし片１５２が設けられ、この切り起こし片１５２とＵ字部１５１の先端部１５３内によって温度ヒューズ１６が固定されている。
【００１２】
シーズヒーター１４の下部はＬ字形状をしており、水平部１４１と垂直部１４２から構成されＬ字部付近はヒータ発熱部となっている。金属感熱板１５と温水タンク１３の上部にはシール部材１７が配設され、温水タンク１３からの水漏れを防止している。
【００１３】
シーズヒーター１４と金属感熱板１５とはろう付け等にて固定され、一体化されているため、組み付け等に有利である。
【００１４】
前記シーズヒーター１４の水平部１４１の直上にあたる温水タンク１３の上部は直接金属感熱板１５の底部１５４が露出し、同じようにシーズヒーター１４の水平部１４１の直上に温度ヒューズ１６が底部１５４に接触固定されている。
【００１５】
この温度ヒューズ１６は貫通孔１３１の外形の延長線上（図２の点線）内に配置されている。なお、図３は図２の上からみた金属感熱板の平面図である。また、図２は図３のＡ−Ａ断面図であり、温水タンクも同時に図示している。
【００１６】
なおこの実施例の構成の温水タンク１３はポンプあるいは水圧により導水管を介して温水タンク１３内に給水し、温水タンク１３に十分給水されたときに上動したフロートで安全スイッチを閉じてシーズヒーター１４に通電し、シーズヒーターの発熱により温水タンク１３内の洗浄水を温水化する。そして温水化された洗浄水をポンプ圧力や水圧により図１の洗浄ノズル２０に与える。
【００１７】
なお、本発明のシーズヒーターの水平部は必ずしも完全に水平でなくても斜め上方あるいは斜め下方に折れ曲がった形状でもよく、その他種々の方法も考えられ、本実施例に限定されるものではない。
【００１８】
また、図４に示すようにＬ字部の水平部１４１の屈曲部１４１の真上に穿設している貫通孔１３１には金属感熱板１５の一部が露出され、前記金属感熱板に配設されている前記温度ヒューズの半分が前記貫通孔の外形の延長線上内に配設されていてもよい。
【００１９】
以上のように、本発明は、温水タンクと、該温水タンク内に配設され下部がＬ字部を有するシーズヒータと、該シーズヒータの上部に固定される金属感熱板と、該金属感熱板上に配設されている温度ヒューズと、前記シーズヒーターのＬ字部の略水平部の直上の温水タンクには貫通孔が穿設されている人体局部洗浄装置であって、前記貫通孔には前記金属感熱板の一部が露出され、前記金属感熱板に配設されている前記温度ヒューズの一部は前記貫通孔の外形の延長線上内に配設さしたことによって、直接前記シーズヒーターの水平部からの熱が直接前記金属感熱板と前記温度ヒューズに伝達することすることが可能となるため、温水タンク内の異常昇温の感知の作動が短時間になる。
【００２０】
【発明の効果】
請求項１の発明は、以下の如く効果を有する。
【００２１】
即ち、直接前記シーズヒーターの水平部からの熱が直接前記金属感熱板と前記温度ヒューズに伝達することすることが可能となるため、温水タンク内の異常昇温の感知の作動が短時間になるといった効果を有する。
【図面の簡単な説明】
【図１】本発明の人体局部洗浄装置の全体斜視図
【図２】本発明の温水タンク、貫通孔、金属感熱板、温度ヒューズの配置関係を示す断面図であり、図２のＡ−Ａ断面図。
【図３】図２の装置の上方から見た図。
【図４】本発明の他の実施例を示した温水タンク部分の断面図。
【符号の説明】
１３・・・温水タンク
１４・・・シーズヒーター
１５・・・金属感熱板
１６・・・温度ヒューズ
１３１・・・貫通孔
【図１】
0003713880.tif 000002
【図２】
0003713880.tif 000003
【図３】
0003713880.tif 000004
【図４】
0003713880.tif 000005